(57)【要約】      （修正有）【課題】多数の折畳いすを簡単に見栄えよく収納でき、かつ複数の人が同時に収納または取り出しが可能で、また、どの位置でも収納あるいは取り出しが可能な折畳いす収納ラックを提供する。【解決手段】四角い形状の基底台１と、基底台１の両側面に設けられた側面の外枠２と、側面の外枠２の間に設けられた背面の外枠３とを有し、基底台１にはいすを折り畳んだ状態のいすの厚みよりわずかに広い間隔で並べて固定された長い桟４が設けられ、背面の外枠３には、長い桟４と同じ間隔で並べて固定された短い桟５が設けられている。【選択図】図１
0003220849.tif 000002
【実用新案登録請求の範囲】
【請求項１】
四角い形状の基底台とそれを囲む外枠とから成る折畳いすを収納するラックにおいて、基底台にはいすを折り畳んだ状態のいすの厚みよりわずかに広い間隔で並ぶ桟が固定され、外枠の背面には基底台に固定された桟と同じ間隔で並ぶ桟が固定された構造を有することを特徴とする折畳いす収納ラック。
【請求項２】
外枠の前面が開放されていることを特徴とする請求項１記載の折畳いす収納ラック。
【請求項３】
基底台に固定された桟の位置と外枠の背面に固定された桟の位置が、それぞれの桟の間隔のおよそ二分の一だけずれて配列されることを特徴とする請求項１記載の折畳いす収納ラック。
【請求項４】
基底台に固定された桟の長さは、折畳いすの幅にほぼ近い長さであることを特徴とする請求項１記載の折畳いす収納ラック。
【請求項５】
外枠の背面に三角形を形成する補強支持体を有することを特徴とする請求項２記載の折畳いす収納ラック。
【請求項６】
外枠の側面が上部程狭くなる形状であることを特徴とする請求項２記載の折畳いす収納ラック。
【考案の詳細な説明】
【技術分野】
【０００１】
本考案は、複数の折畳いすを収納する移動可能なラックに関するものである。
【背景技術】
【０００２】
会議や集会などでは多数の折畳いすが使用され、使用するときに折畳いすを保管場所から使用する場所に運んで並べ、使用後には折畳いすをもとの場所に戻すことが必要となる。とくに数が多い場合は所定の保管場所から使用する場所へ運ぶ作業を容易にするために、複数の折畳いすを収納して移動するための枠の付いた台車が市販され、使用されている。
【０００３】
多数の折畳いすをこの台車に順次収納するとどうしても少しずつ傾いてきて、それを途中で直すためには大きな力を必要とし容易ではない。したがって、一般には折畳いすが枠内に斜めのまま収納されることが多い。この状態は、見栄えが悪いだけでなく、収納できる数も少なくなり、取り出すときも後から重ねた側から取り出す必要があり、複数の人が同時に取り出すことはできないなどの不便がある。
【先行技術文献】
【特許文献】
【０００４】
【特許文献１】登録実用新案３０４６４３号
【考案の概要】
【考案が解決しようとする課題】
【０００５】
本考案は、多数の折畳いすを無駄な力を必要とせず簡単に見栄えよく収納でき、かつ複数の人が同時に収納あるいは取り出しが可能で、また、どの位置でも収納あるいは取り出しが可能な折畳いす収納ラックを提供しようとするものである。
【課題を解決するための手段】
【０００６】
本考案では、四角い形状の基底台とそれを囲む外枠とから成る折畳いすを収納するラックにおいて、基底台にはいすを折り畳んだ状態のいすの厚みよりわずかに広い間隔で並ぶ桟が固定され、外枠の背面には基底台に固定された桟と同じ間隔で並ぶ桟が固定された構造を有する折畳いす収納ラックを提供することにより課題を解決した。また、いすの取り出し及び収納を容易にするため、外枠は前面にはなく側面と背面だけにして前面を開放する構造にした。前面に外枠がないため、移動の際に外枠の結合部に変形が生じることを防ぐために、側面の外枠の幅を下部より上部が狭くなるようにし、背面の外枠に三角形を形成する補強支持体を設けた。
【考案の効果】
【０００７】
本考案では、基底台と外枠の背面に等間隔の桟を設けたことにより、折畳いすがほぼ垂直に配置されるため、倒れる力がほとんど働かず、折畳いすが等間隔で垂直に配列されるため見栄えが良く、また、個々の折畳いすが接触することなく独立に収納されるため個々の折畳いすが他の折畳いすの影響を受けることがなく、どの位置の折畳いすも自由に収納あるいは取り出しが可能になる。前面の外枠をなくし開放することにより取り出しと収納が容易であり、複数の人が同時に取り出したり収納することも可能である。側面の外枠の上部を下部より狭くし、背面の外枠に三角形の補強支持体を設けることにより外枠の変形を抑えることができる。
【図面の簡単な説明】
【０００８】
【図１】折畳いす収納ラックの基本構成を示す斜視図
【図２】折畳いす収納ラックの基本構成を示す上面図及び正面図
【図３】折畳いすを開いた状態の正面及び側面から見た図、及び閉じた状態の側面から見た図
【図４】折畳いす収納ラックに折畳いすを収納した場合の正面から見た図
【図５】従来の折畳いす収納ラックに収納した場合
【符号の説明】
【０００９】
１  基底台
２  側面の外枠
３  背面の外枠
４  基底台に固定された長い桟
５  外枠の背面に固定された短い桟
６  背面の補強支持体
７  一般的なパイプ製の折畳いす
８  折畳パイプいすを構成する長いパイプ枠
９  折畳パイプいすの長いパイプ枠を支える短いパイプ枠
【考案を実施するための形態】
【００１０】
図１〜図４を用いて、以下に本考案を実施するための実施例について説明する。
【実施例】
【００１１】
図１は、本考案の折畳いす収納ラックの主な構造を分かり易く説明するための斜視図である。折畳いす収納ラックの主な部分は、四方を背の低い板で囲われた基底台１と、側面の外枠２と、背面の外枠３で構成される。前面には外枠がなく前面が開放されている。基底台１には等間隔で配列された長い桟４が固定され、背面の外枠３には等間隔で配列された短い桟５が固定されており、両者の桟の間隔は等しい。外枠を補強するために基底台1と背面の外枠３に結合され三角形を形成する支持体６があり、基底台１の下には、図にはない４個のキャスターが取り付けられ、折畳いす収納ラックの移動が可能である。
【００１２】
図２（ａ）は、折畳いす収納ラックを上面から見た図、図２（ｂ）は正面から見た図であり、基底台１に固定された長い桟４は、図３（ｃ）に示す折畳いすを畳んだ時の厚さＤよりわずかに大きな間隔ｔで配列されている。また、背面の外枠３に固定された短い桟５も同じ間隔ｔで配列され、長い桟４と短い桟５の位置は、それぞれの間隔の１／２すなわちｔ／２だけずれていることを示している。長い桟４の長さは図３（ａ）に示すパイプ製折畳いす７の横幅Ｗと同程度であり、高さは図３（ｃ）に示す長いパイプ枠８の下端と短いパイプ枠９の下端の差ｄと同程度である。
【００１３】
図３は、もっとも一般的に使用されているパイプ製の折畳いす７（以下、単にパイプいすという）の概略図で、（ａ）は開いたときの正面図、（ｂ）は開いたときの側面図、（ｃ）は収納するために閉じた時の側面図である。通常は長いパイプ枠８と短いパイプ枠９とがジョイントで結合され、図３（ｂ）のように開いたときに長いパイプ枠８が前になり、その後ろを短いパイプ枠９が支える構造となっている。閉じた時は、図３（ｃ）のように上部はパイプが１本で、下部はパイプが２本重なり、厚さＤはパイプの外径の約２倍である。また、この閉じた状態では長いパイプ枠８の下端は短いパイプ枠９の下端より距離ｄだけ上にくる。したがって、上部は長いパイプ枠８であり、短いパイプ枠９の下端が地に接することになり、長いパイプ枠８と短いパイプ枠９の中心位置はおよそＤ／２だけずれることになる。
【００１４】
図４は、折畳いす収納ラックにパイプいすを収納した状態を示す図である。説明を分かり易くするため６個のパイプいすだけが収納されているが、すべてのスペースにパイプいすを収納することができる。また、図では基底台1を囲む手前の背の低い板も省略してある。パイプいすの短いパイプ枠９の下端を基底台１に固定された隣接する桟４の桟と桟の間に入れ、長いパイプ枠８の上部を背面に固定された桟５の対応する桟と桟の間に挿入する。このようにすると、パイプ椅子を垂直に立てたときの長いパイプ枠８の上部と短いパイプ枠９の下部の位置のずれＤ／２が、短い桟５と長い桟４の位置のずれＤ／２と一致するのでパイプいすはほぼ垂直になる。この状態で、隣接するパイプいすは互いにほとんど接触せず他のいすの力を受けないので、どのパイプいすでも収納あるいは取り出しは容易であり、複数の人が同時に収納又は取り出し作業を行うことができる。また、見栄えも大変よい。基底台１に固定された桟４の長さはおよそパイプいすの幅Ｗに等しく四方が背の低い板で囲まれているので、パイプいすが正面から見て前後にも揃って配列される。
【００１５】
収納ラックを移動するときは、側面の外枠２と背面の外枠３の上部を手で押さえて押すのが一般的である。この場合、両方の外枠およびその結合部分に加わる強いトルクによって外枠が変形するのを防ぐために、側面の外枠２の上部を下部より狭くし、背面の外枠３には形状が三角形になるように補強支持体６が設けられている。
【００１６】
図５は従来の収納ラックにパイプいすを収納した場合によく経験するもので、順にパイプいすを収納してゆくと、どうしても傾いてしまう様子を示したものである。いすが傾くとその方向にトルクが働いて倒れようとし、いす同士は直接接触しているので他の複数のいすの強い力を受けいすといすの間の摩擦もあり、傾きを直そうとしても複数のいすを同時に動かさなければならないので容易ではない。本発明の桟のある収納ラックでは、どのパイプいすも垂直になり、お互いに独立してほとんど接触していないため、従来の問題を解決していることがよく分かる。
【００１７】
上述の実施例では、もっとも一般的なパイプ製の折畳いすを例に説明したが、パイプいすに限る必要はなく、また、折畳いすを閉じた状態でパイプの上端と下端の位置がずれている場合の例を説明したが、ずれていない場合やずれの大きさもいろいろあり、それに対応した桟の位置を設定すればよい。外枠や桟は金属製でも木製でもよい。外枠の側面の形状も実施例の図に限定する必要はない。
【図１】
0003220849.tif 000003
【図２】
0003220849.tif 000004
【図３】
0003220849.tif 000005
【図４】
0003220849.tif 000006
【図５】
0003220849.tif 000007
【手続補正書】
【提出日】平成31年2月8日(2019.2.8)
【手続補正１】
【補正対象書類名】実用新案登録請求の範囲
【補正対象項目名】全文
【補正方法】変更
【補正の内容】
【実用新案登録請求の範囲】
【請求項１】
四角い形状の基底台と、前記基底台の両側面に設けられた側面の外枠と、前記側面の外枠の間に設けられた背面の外枠とを有し、前記基底台にはいすを折り畳んだ状態のいすの厚みよりわずかに広い間隔で並べて固定された長い桟が設けられ、前記背面の外枠には、前記長い桟と同じ間隔で並べて固定された短い桟が設けられていることを特徴とする折畳いす収納ラック。
【請求項２】
前記側面の外枠及び前記背面の外枠の前面が開放されていることを特徴とする請求項１記載の折畳いす収納ラック。
【請求項３】
前記基底台に固定された前記長い桟の位置と前記背面の外枠に固定された前記短い桟の位置が、それぞれの桟の間隔のおよそ二分の一だけずれて配列されることを特徴とする請求項１記載の折畳いす収納ラック。
【請求項４】
前記基底台に固定された前記長い桟の長さは、折畳いすの幅にほぼ近い長さであることを特徴とする請求項１記載の折畳いす収納ラック。
【請求項５】
前記背面の外枠に三角形を形成する補強支持体を有することを特徴とする請求項２記載の折畳いす収納ラック。
【請求項６】
前記側面の外枠が、上部程狭くなる形状であることを特徴とする請求項２記載の折畳いす収納ラック。
【手続補正２】
【補正対象書類名】明細書
【補正対象項目名】０００６
【補正方法】変更
【補正の内容】
【０００６】
本考案では、四角い形状の基底台と、基底台の両側面に設けられた側面の外枠と、側面の外枠の間に設けられた背面の外枠とを有し、基底台にはいすを折り畳んだ状態のいすの厚みよりわずかに広い間隔で並べて固定された長い桟が設けられ、背面の外枠には、長い桟と同じ間隔で並べて固定された短い桟が設けられていることを特徴とする折畳いす収納ラックを提供することにより課題を解決した。また、いすの取り出し及び収納を容易にするため、側面の外枠及び背面の外枠の前面が開放されている構造にした。収納ラックを移動する場合は、側面の外枠の上部に手を掛け押すことになるが、前面が解放されているので、移動の際に側面の外枠と背面の外枠の結合部に変形が生じることを防ぐために、側面の外枠の幅を下部より上部が狭くなるようにし、さらに背面の外枠に三角形を形成する補強支持体を設けた。
【手続補正３】
【補正対象書類名】明細書
【補正対象項目名】０００７
【補正方法】変更
【補正の内容】
【０００７】
本考案では、基底台と背面の外枠に等間隔の桟を設けたことにより、折畳いすがほぼ垂直に配置されるため、倒れる力がほとんど働かず、折畳いすが等間隔で垂直に配列されるため見栄えが良く、また、個々の折畳いすが接触することなく独立に収納されるため個々の折畳いすが他の折畳いすの影響を受けることがなく、どの位置の折畳いすも自由に収納あるいは取り出しが可能になる。外枠の前面を開放することにより取り出しと収納が容易であり、複数の人が同時に取り出したり収納することも可能である。側面の外枠の上部を下部より狭くし、背面の外枠に三角形の補強支持体を設けることにより外枠の変形を抑えることができる。
【手続補正４】
【補正対象書類名】明細書
【補正対象項目名】０００９
【補正方法】変更
【補正の内容】
【０００９】
１  基底台
２  側面の外枠
３  背面の外枠
４  基底台に固定された長い桟
５  背面の外枠に固定された短い桟
６  背面の外枠の補強支持体
７  一般的なパイプ製の折畳いす
８  折畳パイプいすを構成する長いパイプ枠
９  折畳パイプいすの長いパイプ枠を支える短いパイプ枠
【手続補正５】
【補正対象書類名】明細書
【補正対象項目名】００１７
【補正方法】変更
【補正の内容】
【００１７】
上述の実施例では、もっとも一般的なパイプ製の折畳いすを例に説明したが、パイプいすに限る必要はなく、また、折畳いすを閉じた状態でパイプの上端と下端の位置がずれている場合の例を説明したが、ずれていない場合やずれの大きさもいろいろあり、それに対応した桟の位置を設定すればよい。外枠や桟は金属製でも木製でもよい。側面の外枠の形状も実施例の図に限定する必要はない。